(57)【特許請求の範囲】
【請求項１】
シート加工装置により加工された未加硫ゴムシート（Ｗ）を、シート搬送機構を介して防着液（Ｑ）を収容した防着液槽（３）内を通過させ、未加硫ゴムシート（Ｗ）の表裏面に防着液（Ｑ）を塗付させた後、次工程へ搬送させるようにした未加硫ゴムシートの防着液塗付装置において、
前記防着液槽（３）の下部に開閉バルブ（６）を設け、この開閉バルブ（６）の下方に、防着液（Ｑ）を回収するための下部に開閉バルブ（８）を設けた防着液回収槽（７）を設置し、この防着液回収槽（７）の開閉バルブ（８）の下方に所定の間隔を隔てて防着液槽収容タンク（９）を設置し、前記防着液槽（３）と防着液槽収容タンク（９）とをポンプ（Ｐ）を備えた防着液循環配管（１０）により接続し、前記防着液回収槽（７）の下部から排出させた防着液（Ｑ）を前記防着液循環配管（１０）を介して順次防着液槽（３）の上部に戻すように構成したことを特徴とする未加硫ゴムシートの防着液塗付装置。
【請求項２】
シート加工装置により加工された未加硫ゴムシート（Ｗ）を、シート搬送機構を介して防着液（Ｑａ）を収容した防着液槽（３）内を通過させ、未加硫ゴムシート（Ｗ）の表裏面に防着液（Ｑａ）を塗付させた後、次工程へ搬送させるようにした未加硫ゴムシートの防着液塗付装置において、
前記防着液槽（３）の下部に開閉バルブ（６）を設けると共に、その下方に、防着液（Ｑａ）を回収するための下部に複数個の開閉バルブ（８ａ），（８ｂ）を設けた防着液回収槽（７）を設置し、この防着液回収槽（７）の下方に、前記開閉バルブ（８ａ），（８ｂ）の数に応じた複数の防着液槽収容タンク（９ａ），（９ｂ）を設置し、この複数の防着液槽収容タンク（９ａ），（９ｂ）と前記防着液槽（３）とを、ポンプ（Ｐ）を備えた複数の防着液循環配管（１０ａ），（１０ｂ）により接続し、  前記防着液回収槽（７）の下部から排出させたそれぞれの防着液（Ｑａ）を前記複数の防着液循環配管（１０ａ），（１０ｂ）を介して順次防着液槽（３）の上部に戻すように構成したことを特徴とする未加硫ゴムシートの防着液塗付装置。
【発明の詳細な説明】
【０００１】
【産業上の利用分野】
この発明は、未加硫ゴムシートの防着液塗付装置に係わり、更に詳しくはシート加工装置により加工された未加硫ゴムシートを次工程へ供給する場合に、未加硫ゴムシート同志の密着を防止するために、未加硫ゴムシートの表裏面に防着液を塗付する防着液塗付装置に関するものである。
【０００２】
【従来の技術】
従来、ミキサー等の混合機で混合させた未加硫ゴムシート（コンパウンド）を次工程へ供給する場合、未加硫ゴムシート同志の密着を防止させるため、例えば、図３及び図４に示すような装置により未加硫ゴムシートＷの表裏面に防着液Ｑを塗付する方法が行われていた。
【０００３】
即ち、従来の防着液塗付装置は、ミキサー等の混合機で混合させたコンパウンドＷａをシート加工用のロール１ａ，１ｂでシート状に加工し、この未加硫ゴムシートＷを搬送コンベヤ２により搬送すると共に、防着液Ｑを収容した防着液槽３内に浸した防着液塗付コンベヤ４で挾持させた状態で防着液Ｑ中を通過させ、防着液Ｑを未加硫ゴムシートＷの表裏面に塗付し、更に防着液Ｑの乾燥工程５（乾燥用ハンガー）を経て次工程へ搬送するようにしている。
【０００４】
また、この他に未加硫ゴムシートＷの密着防止方法としては、搬送されて来る未加硫ゴムシートＷの表裏面に防着液Ｑを吹き付ける方法、未加硫ゴムシートＷ間に離型シートを挟む方法等が知られている。
【０００５】
【発明が解決しようとする問題点】
従来の方法は、防着液槽３に取付けたレベル計によって使用量に応じた防着液Ｑを追加するか、常に防着液Ｑを供給しておき、オーバーフロー分を回収する方法が一般的であるが、防着液Ｑに含まれる固形分が防着液槽３の底部に沈澱・滞留する為、防着液Ｑの濃度管理が困難な上、時々固形分が未加硫ゴムシートＷに付着し、異物となってトラブルにつながると言う問題があった。
【０００６】
これらの問題に対し、攪拌翼やエアーで攪拌する方法もあるが、均一化能力に乏しく、攪拌時の泡立ち等による環境悪化の問題もあり、決め手に欠け、また未加硫ゴムシートＷのコンパウンドの種類により、粘着力に差があり、防着液Ｑの塗付濃度が不足した場合にはシートの密着トラブルとなり、また過大な濃度になった場合には、逆に未加硫ゴムシートＷ内へ混入し、品質のトラブルが発生したり、また塗付した防着液が剥離して粉塵環境に問題があった。
【０００７】
また、上記のような防着液塗付装置は、防着液塗付コンベヤ４のガイドローラ４ａが防着液槽３内の防着液Ｑに常に漬かった状態となっているため、耐久性等に問題があった。
また、上述したように防着液Ｑは、未加硫ゴムシートＷのコンパウンドの種類により粘着力に差があるため、コンパウンドの種類に対応した防着液を使用することが望ましい。
【０００８】
この発明は、かかる従来の課題に着目して案出されたもので、防着液の濃度を常に一定の濃度に保ち、未加硫ゴムシートに最適な濃度の防着液を効率良く塗付することが出来る未加硫ゴムシートの防着液塗付装置を提供することを目的とするものである。
また、この発明は、未加硫ゴムシートのコンパウンドの種類に応じて、適切な濃度の防着液を選定して塗付することが出来る未加硫ゴムシートの防着液塗付装置を提供することを目的とするものである。
【０００９】
【課題を解決するための手段】
この発明は上記目的を達成するため、防着液槽（３）の下部に開閉バルブ（６）を設け、この開閉バルブ（６）の下方に、防着液（Ｑ）を回収するための下部に開閉バルブ（８）を設けた防着液回収槽（７）を設置し、この防着液回収槽（７）の開閉バルブ（８）の下方に所定の間隔を隔てて防着液槽収容タンク（９）を設置し、前記防着液槽（３）と防着液槽収容タンク（９）とをポンプ（Ｐ）を備えた防着液循環配管（１０）により接続し、前記防着液回収槽（７）の下部から排出させた防着液（Ｑ）を前記防着液循環配管（１０）を介して順次防着液槽（３）の上部に戻すように構成したことを要旨とするものである。
【００１０】
また、この発明は、防着液槽（３）の下部に開閉バルブ（６）を設けると共に、その下方に、防着液（Ｑａ）を回収するための下部に複数個の開閉バルブ（８ａ），（８ｂ）を設けた防着液回収槽（７）を設置し、この防着液回収槽（７）の下方に、前記開閉バルブ（８ａ），（８ｂ）の数に応じた複数の防着液槽収容タンク（９ａ），（９ｂ）を設置し、この複数の防着液槽収容タンク（９ａ），（９ｂ）と前記防着液槽（３）とを、ポンプ（Ｐ）を備えた複数の防着液循環配管（１０ａ），（１０ｂ）により接続し、  前記防着液回収槽（７）の下部から排出させたそれぞれの防着液（Ｑａ）を前記複数の防着液循環配管（１０ａ），（１０ｂ）を介して順次防着液槽（３）の上部に戻すように構成したことを要旨とするものである。
【００１２】
【発明の作用】
この発明は上記のように構成され、未加硫ゴムシートへの防着液塗付工程中に、防着液槽の下部から防着液を抜いて防着液槽の上部に戻す防着液の循環繰返し工程を設けたことにより、防着液の濃度を常に一定の濃度に保ち、未加硫ゴムシートに最適な濃度の防着液を効率良く塗付することが出来るものである。
【００１３】
また、未加硫ゴムシートのコンパウンドの種類に応じて、適切な濃度の防着液を選定して塗付することが出来るものである。
【００１４】
【発明の実施例】
以下、添付図面に基づき、この発明の実施例を説明する。
なお、従来例と同一構成要素は、同一符号を付して説明は省略する。
図１は、この発明の第１実施例を示す防着液塗付装置の概略構成の正面図を示し、１ａ，１ｂは、ミキサー等の混合機で混合させたコンパウンドＷａをシート状に加工するロール、２はシート状に加工された未加硫ゴムシートＷを搬送する搬送コンベヤ、３は防着液Ｑを収容した防着液槽、４は未加硫ゴムシートＷを挾持した状態で防着液槽３内を通過させる防着液塗付コンベヤである。  また、５は防着液Ｑを表裏面に塗付した未加硫ゴムシートＷを乾燥させて次工程へ搬送する乾燥工程（乾燥用ハンガー）を示している。
【００１５】
前記防着液槽３は断面略Ｖ字状に形成され、その底面頂部３ａには開閉バルブ６が設けてある。また防着液槽３の下部には、底面頂部７ａに開閉バルブ８を設けた防着液回収槽７と、その下方に防着液槽収容タンク９とが所定の間隔を隔てて設置してあり、前記防着液槽３と防着液槽収容タンク９との間には、防着液回収槽７の下部から排出させた防着液Ｑを、順次防着液槽３の上部に戻すポンプＰを備えた防着液循環配管１０が設けてある。
【００１６】
前記未加硫ゴムシートＷを挾持した状態で防着液槽３内を通過させる防着液塗付コンベヤ４は、防着液槽３内の防着液Ｑに漬けられた状態で設置された駆動プーリ１１ａと従動プーリ１１ｂとにエンドレス状の駆動ベルト１２が掛け回され、この駆動ベルト１２の下面側には、防着液槽３の外部に設置されたガイドプーリ１３ａ，１３ｂ，１３ｃに掛け回されたエンドレス状の挾持ベルト１４が配設されている。
【００１７】
未加硫ゴムシートＷは、駆動ベルト１２と挾持ベルト１４との間に挾持された状態で防着液槽３内の防着液Ｑを通過し、その表裏面に防着液Ｑが塗付されるものである。
図２は、この発明の第２実施例を示す防着液塗付装置の概略構成の側面図を示し、この実施例は、防着液Ｑは未加硫ゴムシートＷのコンパウンドの種類により防着液Ｑの粘着力に差があるため、コンパウンドの種類に対応した防着液Ｑａ，Ｑｂを使用するように構成したものである。
【００１８】
即ち、この第２実施例の構成は、防着液回収槽７の底面頂部７ａに開閉バルブ８ａ，８ｂを設け、この開閉バルブ８ａ，８ｂの下方に、前記開閉バルブ８ａ，８ｂの数（この実施例では２個）に応じた複数（２槽）の防着液槽収容タンク９ａ，９ｂが設置してある。防着液槽３と防着液槽収容タンク９ａ，９ｂとの間には、防着液回収槽７の下部から排出させた防着液Ｑを、順次防着液槽３の上部に戻すポンプＰを備えた防着液循環配管１０ａ，１０ｂが設けてある。
【００１９】
前記防着液槽収容タンク９ａ，９ｂには、未加硫ゴムシートＷのコンパウンドの種類に対応する防着液Ｑａ，Ｑｂが収容され、未加硫ゴムシートＷのコンパウンドの種類に応じて選択して使用するように構成されている。
このように構成することにより、未加硫ゴムシートＷのコンパウンドの種類に対応した粘着力の防着液Ｑａ，Ｑｂを使用して、未加硫ゴムシートＷの密着を防止出来るものである。
【００２０】
なお、上記の実施例では、２種類のコンパウンドの種類に対応する防着液Ｑａ，Ｑｂを収容した防着液槽収容タンク９ａ，９ｂを設置したが、未加硫ゴムシートＷのコンパウンドの種類が多い場合には、更に数を増やして防着液の種類も多く使用することは可能である。
以上のように、この発明では未加硫ゴムシートＷへの防着液塗付工程中に、防着液槽３の下部から防着液Ｑを抜いて防着液槽３の上部に戻す防着液Ｑの循環繰返し工程を設けたことにより、防着液Ｑの濃度を常に一定の濃度に保ち、未加硫ゴムシートＷに最適な濃度の防着液を効率良く塗付することが出来るものである。また、未加硫ゴムシートＷのコンパウンドの種類に応じて、適切な濃度の防着液を選定して塗付することも可能である。
【００２１】
【発明の効果】
この発明は、上記のように防着液槽（３）の下部に開閉バルブ（６）を設け、この開閉バルブ（６）の下方に、防着液（Ｑ）を回収するための下部に開閉バルブ（８）を設けた防着液回収槽（７）を設置し、この防着液回収槽（７）の開閉バルブ（８）の下方に所定の間隔を隔てて防着液槽収容タンク（９）を設置し、前記防着液槽（３）と防着液槽収容タンク（９）とをポンプ（Ｐ）を備えた防着液循環配管（１０）により接続し、前記防着液回収槽（７）の下部から排出させた防着液（Ｑ）を前記防着液循環配管（１０）を介して順次防着液槽（３）の上部に戻すように構成したので、防着液の濃度を常に一定の濃度に保ち、未加硫ゴムシートに最適な濃度の防着液を効率良く塗付することが出来る効果がある。
【００２２】
また、この発明は、防着液槽（３）の下部に開閉バルブ（６）を設けると共に、その下方に、防着液（Ｑａ）を回収するための下部に複数個の開閉バルブ（８ａ），（８ｂ）を設けた防着液回収槽（７）を設置し、この防着液回収槽（７）の下方に、前記開閉バルブ（８ａ），（８ｂ）の数に応じた複数の防着液槽収容タンク（９ａ），（９ｂ）を設置し、この複数の防着液槽収容タンク（９ａ），（９ｂ）と前記防着液槽（３）とを、ポンプ（Ｐ）を備えた複数の防着液循環配管（１０ａ），（１０ｂ）により接続し、  前記防着液回収槽（７）の下部から排出させたそれぞれの防着液（Ｑａ）を前記複数の防着液循環配管（１０ａ），（１０ｂ）を介して順次防着液槽（３）の上部に戻すように構成したので、未加硫ゴムシートのコンパウンドの種類に応じて、適切な濃度の防着液を選定して塗付することが出来、未加硫ゴムシートの密着を有効に防止出来る効果がある。
【図面の簡単な説明】
【図１】この発明の第１実施例を示す防着液塗付装置の概略構成の正面図である。
【図２】この発明の第２実施例を示す防着液塗付装置の概略構成の側面図である。
【図３】従来の防着液塗付装置の概略構成の正面図である。
【図４】図３の側面図である。
【符号の説明】
１ａ，１ｂ  ロール                ２  搬送コンベヤ
３  防着液槽              ４  防着液塗付コンベヤ
５  乾燥工程（乾燥用ハンガー）
６  開閉バルブ            ７  防着液回収槽
７ａ  防着液回収槽底面頂部  ８  開閉バルブ
９  防着液槽収容タンク  １０  防着液循環配管
Ｑ  防着液                Ｗ  未加硫ゴムシート
Ｐ  ポンプ
【図１】
0003695783.tif 000002
【図２】
0003695783.tif 000003
【図３】
0003695783.tif 000004
【図４】
0003695783.tif 000005